(57)【要約】      （修正有）【課題】扉閉鎖時において、落とし棒の回転および引き抜きを阻止することができるので、安全性に優れる、両開き式門扉の落とし装置を提供する。【解決手段】扉閉鎖時に一方側の扉の縦枠４と他方側の扉の縦枠５とが互いに相対する両開き式門扉の他方側の扉の縦枠に取り付けられる、両開き式門扉の落とし装置において、地面に形成した孔７内に下端部が垂直に落とし込まれる落とし棒６と、他方側の扉の縦枠５の内側に固定される、落とし棒が垂直に挿通される開口１２Ａから１２Ｄが形成された落とし受けとからなり、落とし棒の側面には、扉閉鎖時に互いに相対する縦枠間に挟み込まれるストッパー８が間隔部材９を介して固定され、落とし受けの開口１２Ｂ、１２Ｃには、間隔部材が通過可能な切り欠き（Ｓ１）、（Ｓ２）が形成され、前記切り欠きは、ストッパーが縦枠間に挟み込まれているときに、間隔部材が通過できない位置に形成されている。【選択図】図２
2010112068.tif 000002
【特許請求の範囲】
【請求項１】
錠が取り付けられている一方側の扉と、錠が取り付けられていない他方側の扉とからなり、扉閉鎖時に前記一方側の扉の縦枠と他方側の扉の縦枠とが互いに相対する両開き式門扉の前記他方側の扉の縦枠に取り付けられる、両開き式門扉の落とし装置において、
地面に形成した孔内に下端部が垂直に落とし込まれる落とし棒と、前記他方側の扉の縦枠の内側に固定される、前記落とし棒が垂直に挿通される開口が形成された落とし受けとからなり、前記落とし棒の側面には、扉閉鎖時に互いに相対する前記縦枠間に挟み込まれるストッパーが間隔部材を介して固定され、前記落とし受けの前記開口には、前記間隔部材が通過可能な切り欠きが形成され、前記切り欠きは、扉閉鎖時において、前記ストッパーが前記縦枠間に挟み込まれているときに、前記間隔部材が通過できない位置に形成され、かくして、扉閉鎖時における前記落とし棒の上昇を阻止することを特徴とする、両開き式門扉の落とし装置。
【請求項２】
前記ストッパーには、前記落とし棒を持ち上げるつまみが形成されていることを特徴とする、請求項１に記載の、両開き式門扉の落とし装置。
【発明の詳細な説明】
【技術分野】
【０００１】
この発明は、両開き式門扉の落とし装置、特に、錠付き両開き式門扉の錠がついていない他方側の扉に取り付けられる落とし装置であって、錠がついている一方側の扉を開かない限り、他方側の扉の落とし棒を引き抜くことができない、両開き式門扉の落とし装置に関するものである。
【背景技術】
【０００２】
例えば、敷地の境界線にフェンスを構築する場合、比較的安価で美観に優れ、しかも、堅牢な網状フェンスが用いられる。この場合、網状フェンスの途中に構築される門扉は、門柱間に網状パネルを丁番を介して開閉自在に取り付けた構成のものが使用されることが多い。網状パネルの門扉は、網状フェンスと同様、価格面等で網状パネル以外の門扉に比べて優れている。
【０００３】
なお、網状フェンスとは、鋼線を格子状に溶接したメッシュフェンス、パイプを格子状に溶接したパイプフェンス、エキスパンドメタルフェンス、金網フェンス等をいい、網状パネルとは、鋼線を格子状に溶接したメッシュパネル、パイプを格子状に溶接したパイプパネル、エキスパンドメタルパネル、金網パネル等をいう。
【０００４】
このような門扉の錠としては、かんぬき式や錠前式に代えて、開閉操作が容易で美観に優れたシリンダー錠が使用されることが多い。そして、両開き式門扉の場合には、錠がついていない側の扉に、落とし装置が取り付けられている。
【０００５】
従来の落とし装置を、図面を参照しながら説明する。
【０００６】
図６は、従来の落とし装置を示す正面図、図７は、図６のＡ−Ａ矢視図である。
【０００７】
図６および図７において、２１は、シリンダー錠（図示せず）が取り付けられている一方側の扉、２２は、錠が取り付けられていない他方側の扉であり、それぞれ、端部に扉閉鎖時に互いに相対する縦枠２３、２４を有している。２５は、錠が取り付けられていない他方側の扉２２の縦枠２４の内側に固定された上部落とし受け、２６は、下部落とし受けであり、両落とし受け２５、２６には、後述する落とし棒のストッパー用切り欠き２５Ａ、２６Ａが形成されている。２７は、上部および下部落とし受け２５、２６内に垂直に挿通された落とし棒である。落とし棒２７のほぼ中央部にはつまみ２７Ａが突設されている。落とし棒２７の下部は、地面に形成した孔２８内に挿入され、これにより他方側の扉２２がロックされる。
【０００８】
このように構成されている、従来の落とし装置によれば、錠が取り付けられている一方側の扉２１の錠をあけ、錠が取り付けられていない他方側の扉２２の落とし棒２７を９０°回し、引き上げれば、扉を開くことができる。
【発明の開示】
【発明が解決しようとする課題】
【０００９】
しかしながら、扉下面と地面との間には、図示のように、隙間（Ｔ）があいているので、扉の外側からこの隙間（Ｔ）に手を入れて、落とし棒２７を容易に回すことができる。この結果、以下の理由により、施錠されているにもかかわらず、扉があけられてしまう恐れがあり、防犯上、問題があった。
【００１０】
構造物用扉の場合には、扉閉鎖時の両扉２１、２２間の隙間（縦枠２３、２４間の隙間）は、可能な限り狭く設計されているが、フェンス用扉の場合には、構造物用扉ほど厳密ではなく、両扉２１、２２間の隙間も構造物用扉に比べれば広い。このために、本来、一方の扉２１のシリンダー錠が施錠されていれば、落とし棒２７をたとえ引き抜いても、シリンダー錠のラッチが他方の扉２２のラッチ受けに入り込んでいるので、扉を開くことができないが、フェンス用扉の場合には、上述のように、両扉２１、２２間の隙間が広いので、落とし棒２７を引き抜いた状態で、両扉２１、２２を同時に強く押せば、ラッチが外れて、扉が開いてしまう恐れがあった。
【００１１】
従って、この発明の目的は、錠がついている一方側の扉を開かない限り、他方側の扉の落とし棒を引き抜くことができないようにすることができる、両開き式門扉の落とし装置を提供することにある。
【課題を解決するための手段】
【００１２】
この発明は、上記目的を達成するためになされたものであり、下記を特徴とする。
【００１３】
請求項１記載の発明は、錠が取り付けられている一方側の扉と、錠が取り付けられていない他方側の扉とからなり、扉閉鎖時に前記一方側の扉の縦枠と他方側の扉の縦枠とが互いに相対する両開き式門扉の前記他方側の扉の縦枠に取り付けられる、両開き式門扉の落とし装置において、地面に形成した孔内に下端部が垂直に落とし込まれる落とし棒と、前記他方側の扉の縦枠の内側に固定される、前記落とし棒が垂直に挿通される開口が形成された落とし受けとからなり、前記落とし棒には、扉閉鎖時に互いに相対する前記縦枠間に挟み込まれるストッパーが間隔部材を介して固定され、前記落とし受けの前記開口には、前記間隔部材が通過可能な切り欠きが形成され、前記切り欠きは、扉閉鎖時において、前記ストッパーが前記縦枠間に挟み込まれているときに、前記間隔部材が通過できない位置に形成され、かくして、扉閉鎖時における前記落とし棒の上昇を阻止することに特徴を有するものである。
【００１４】
請求項２に記載の発明は、請求項１に記載の、両開き式門扉の落とし装置において、前記ストッパーには、前記落とし棒を持ち上げるつまみが形成されていることに特徴を有するものである。
【発明の効果】
【００１５】
この発明によれば、扉閉鎖時に落とし棒を持ち上げようとしても、ストッパーを落とし棒に取り付けている間隔部材が落とし受けに当るので、それ以上は持ち上がらず、しかも、ストッパーは、互いに相対する縦枠間に挟まれているので、落とし棒を手で回すこともできない。これにより、錠がついている一方側の扉を開かない限り、他方側の扉の落とし棒を引き抜くことができない。
【発明を実施するための最良の形態】
【００１６】
この発明の、両開き式門扉の落とし装置の一実施態様を、図面を参照しながら説明する。
【００１７】
図１は、この発明の、両開き式門扉の落とし装置を備えた門扉の閉鎖時を示す部分平面図、図２は、この発明の、両開き式門扉の落とし装置を備えた門扉の閉鎖時を示す部分斜視図、図３は、落とし棒が落とされた、この発明の、両開き式門扉の落とし装置を示す斜視図、図４は、落とし棒が引き上げられた、この発明の、両開き式門扉の落とし装置を示す斜視図、図５は、図３のＡ−Ａ線断面図である。
【００１８】
図１から図５おいて、１は、シリンダー錠２が取り付けられている一方側の扉、３は、錠が取り付けられていない他方側の扉であり、それぞれ、端部に扉閉鎖時に互いに相対する縦枠４、５を有している。縦枠４、５は、それぞれ角形パイプからなっている。６は、扉閉鎖時に、地面に形成した孔７（図２参照）内に下端部が垂直に落とし込まれる落とし棒である。８は、落とし棒６の側面に間隔部材９を介して落とし棒６と直角に取り付けられたストッパーである。ストッパー８は、扉閉鎖時に互いに相対する縦枠４と縦枠５との間に挟まれて、落とし棒６の回転を阻止する。ストッパー８には、落とし棒６を手でつまんで操作するためのつまみ８Ａがストッパー８を９０°折り曲げることによって形成されている。
【００１９】
１０は、他方側の扉３の縦枠５の内側に取り付けられたコ字状をなす上部落とし受けであり、上部片１０Ａおよび下部片１０Ｂを有している。上部片１０Ａおよび下部片１０Ｂには、落とし棒６が垂直に挿通される開口１２Ａ、１２Ｂが形成され、下部片１０Ｂの先端には、開口１２Ａと連通する切り欠き（Ｓ１）が形成されている。
【００２０】
１１は、縦枠５の内側において、上部落とし受け１０の下方部にこれと間隔をあけて取り付けられたコ字状をなす下部落とし受けであり、上部片１１Ａおよび下部片１１Ｂを有している。上部片１１Ａおよび下部片１１Ｂには、落とし棒６が垂直に挿通される開口１２Ｃ、１２Ｄが形成され、上部片１１Ａの先端には、開口１２Ｃと連通する切り欠き（Ｓ２）が形成されている。
【００２１】
落とし棒６が孔７内に落とし込まれ、扉閉鎖状態にある時には、落とし棒６の間隔部材９は、下部落とし受け１１の上部片１１Ａと下部片１１Ｂとの間に位置し、切り欠き（Ｓ２）から外れ、下部片１１Ｂ上に乗っている。一方、落とし棒６が孔７から引き抜かれ、扉開放状態にあるときには、落とし棒６の間隔部材９は、上部落とし受け１０の上部片１０Ａと下部片１０Ｂとの間に位置し、切り欠き（Ｓ１）から外れ、下部片１０Ｂ上に乗っている。
【００２２】
このように構成されている、この発明の、両開き式門扉の落とし装置によれば、以下のようにして、扉の開閉が行われる。
【００２３】
図２、図３に示すように、扉閉鎖時においては、一方側の扉１と他方側の扉３とを閉じる際に、落とし棒６のストッパー８を一方側の扉１の縦枠４と他方側の扉３の縦枠５との間に挟み込み、落とし棒６を孔７内に落とし込む。これにより落とし棒６の回転が阻止され、しかも、落とし棒６を孔７から引き抜こうとしても、間隔部材９が下部落とし受け１１の上部片１１Ａに当る結果、落とし棒６を引き抜くことはできない。従って、錠がついている一方側の扉１を開かない限り、他方側の扉３の落とし棒６を孔７から引き抜くことができず、扉を開くことはできない。
【００２４】
一方、図４に示すように、扉開放時においては、先ず、シリンダー錠２をあけて一方側の扉１を開く。これにより、ストッパー８が解放されて、落とし棒６の回転が可能になるので、落とし棒６を間隔部材９が切り欠き（Ｓ２）と一致するまで回転させる。次いで、落とし棒６を孔７から引き抜き、間隔部材９が切り欠き（Ｓ１）を通過し、上部落とし受け１０の上部片１０Ａと下部片１０Ｂとの間に来るまで持ち上げる。そして、落とし棒６を間隔部材９が切り欠き（Ｓ２）から外れるまで回転させた後、落とし棒６から手を離す。このようにして、扉開放時の落とし棒６の操作が終了する。落とし棒６は、その自重により間隔部材９が下部片１０Ｂ上に乗るまで落下し、それ以上、落下しない。なお、落とし棒６の操作は、つまみ８Ａを手でつまむことにより容易に行える。
【００２５】
以上のように、この発明によれば、扉閉鎖時においては、一方側の扉１の縦枠４と他方側の扉３の縦枠５との間にストッパー８が挟まれ、これにより落とし棒６の回転が阻止され、しかも、落とし棒６を孔７から引き抜こうとしても、間隔部材９が下部落とし受け１１の上部片１１Ａに当る結果、落とし棒６を引き抜くことはできず、扉を開くことはできないので、安全性に優れる。
【図面の簡単な説明】
【００２６】
【図１】この発明の、両開き式門扉の落とし装置を備えた門扉の閉鎖時を示す部分平面図である。
【図２】この発明の、両開き式門扉の落とし装置を備えた門扉の閉鎖時を示す部分斜視図である。
【図３】落とし棒が落とされた、この発明の、両開き式門扉の落とし装置を示す斜視図である。
【図４】落とし棒が引き上げられた、この発明の、両開き式門扉の落とし装置を示す斜視図である。
【図５】図３のＡ−Ａ線断面図である。
【図６】従来の落とし装置を示す正面図である。
【図７】図６のＡ−Ａ矢視図である。
【符号の説明】
【００２７】
１：一方側の扉
２：シリンダー錠
３：他方側の扉
４：縦枠
５：縦枠
６：落とし棒
７：孔
８：ストッパー
８Ａ：つまみ
９：間隔部材
１０：上部落とし受け
１０Ａ：上部片
１０Ｂ：下部片
１１：下部落とし受け
１１Ａ：上部片
１１Ｂ：下部片
１２Ａから１２Ｄ：開口
２１：一方側の扉
２２：他方側の扉
２３：縦枠
２４：縦枠
２５：上部落とし受け
２５Ａ：切り欠き
２６：下部落とし受け
２６Ａ：切り欠き
２７：落とし棒
２７Ａ：つまみ
２８：孔
【図１】
2010112068.tif 000003
【図２】
2010112068.tif 000004
【図３】
2010112068.tif 000005
【図４】
2010112068.tif 000006
【図５】
2010112068.tif 000007
【図６】
2010112068.tif 000008
【図７】
2010112068.tif 000009